(57)【要約】【課題】受信部の受信方向を調整することで受信効率が向上する便器装置を提供する。【解決手段】便器５のボウル部５１よりも後側の上面に設けられる便器装置本体１と、便器装置本体１に連結され、起立した状態と、ボウル部５１上に寝かされた状態と、が選択自在な便蓋１１と、起立した状態の便蓋１１よりも前側の位置に設置され、無線信号の発信部を備える遠隔操作部３と、便器装置本体１の上面部の前記起立した状態の便蓋１１よりも後側に設けられる無線信号の受信部２と、を備える。受信部２の受信方向が所定の範囲２３を有し、所定の範囲２３の前側の境界２４内に起立した便蓋１１が位置する便器装置である。所定の範囲２３の前側の境界２４が、起立した便蓋１１よりも後側に位置するように、無線信号を屈折させる屈折手段６が設けられる。【選択図】図１
2014173393.tif 000002
【特許請求の範囲】
【請求項１】
便器のボウル部よりも後側の上面に設けられる便器装置本体と、
前記便器装置本体に連結され、起立した状態と、前記ボウル部上に寝かされた状態と、が選択自在な便蓋と、
前記起立した状態の前記便蓋よりも前側の位置に設置され、無線信号の発信部を備える遠隔操作部と、
前記便器装置本体の上面部の前記起立した状態の前記便蓋よりも後側に設けられる無線信号の受信部と、を備え、
前記受信部の受信方向が所定の範囲を有し、前記所定の範囲の前側の境界内に前記起立した前記便蓋が位置する便器装置であって、
前記所定の範囲の前記前側の境界が、前記起立した前記便蓋よりも後側に位置するように、無線信号を屈折させる屈折手段が設けられることを特徴とする便器装置。
【請求項２】
前記受信部の前記所定の範囲の後側の境界が、前記便器が設置されるトイレルームの天井の後端よりも前側に位置することを特徴とする請求項１記載の便器装置。
【請求項３】
前記発信部の発信方向が、上斜め後方を向くように設定されることを特徴とする請求項１又は２記載の便器装置。
【発明の詳細な説明】
【技術分野】
【０００１】
本発明は、便器装置に関するものである。
【背景技術】
【０００２】
従来より、便器に設けられる便器装置が利用されている（例えば特許文献１参照）。便器装置としては、局部洗浄装置が特によく利用されている。
【０００３】
図３に示すように、便器装置１は、無線信号の受信部２を備えた便器装置本体１と、無線信号の発信部を備えた遠隔操作部３と、を備え、トイレルーム４にて使用されるものである。便器装置本体１は、便器５のボウル部５１よりも後側の上面に取り付けられ、便蓋１１の端部が回動自在に連結される。これにより、便蓋１１は、ボウル部５１の後側より起立した状態と、ボウル部５１上に載置されて寝かされた状態と、が選択自在となるものである。
【０００４】
そして、発信部から発信された無線信号は、便蓋１１が起立した状態でも、トイレルーム４の天井４２に反射して、受信部２で受信可能となっている。受信部２の受信方向は、所定の範囲２３を有している。
【先行技術文献】
【特許文献】
【０００５】
【特許文献１】実開平４−９２０８３号公報
【発明の概要】
【発明が解決しようとする課題】
【０００６】
ここで、図３に示す従来例では、所定の範囲２３の前側の境界２４内に、起立した便蓋１１が位置している。この便蓋１１が位置する方向からは、天井４２で反射した無線が受信部２に進行してこない。そのため、受信可能な所定の範囲２３の角度に対する、実際に受信する所定の範囲３３の角度が狭められ、受信の範囲（所定の範囲２３）が無駄になり受信感度が低くなっていた。
【０００７】
本発明は上記の点に鑑みてなされたものであり、その目的とするところは、受信部の受信方向を調整することで受信効率が向上する便器装置を提供することを課題とするものである。
【課題を解決するための手段】
【０００８】
上記課題を解決するために、本発明は、以下のような構成とする。
【０００９】
便器のボウル部よりも後側の上面に設けられる便器装置本体と、前記便器装置本体に連結され、起立した状態と、前記ボウル部上に寝かされた状態と、が選択自在な便蓋と、前記起立した状態の前記便蓋よりも前側の位置に設置され、無線信号の発信部を備える遠隔操作部と、前記便器装置本体の上面部の前記起立した状態の前記便蓋よりも後側に設けられる無線信号の受信部と、を備え、前記受信部の受信方向が所定の範囲を有し、前記所定の範囲の前側の境界内に前記起立した前記便蓋が位置する便器装置であって、前記所定の範囲の前記前側の境界が、前記起立した前記便蓋よりも後側に位置するように、無線信号を屈折させる屈折手段が設けられることを特徴とする。
【００１０】
前記受信部の前記所定の範囲の後側の境界が、前記便器が設置されるトイレルームの天井の後端よりも前側に位置することが好ましい。
【００１１】
前記発信部の発信方向が、上斜め後方を向くように設定されることが好ましい。
【発明の効果】
【００１２】
本発明にあっては、受信部の受信方向を調整することで受信効率が向上するものである。
【図面の簡単な説明】
【００１３】
【図１】本実施形態の便器装置を有する便器が設置されたトイレルームの断面図である。
【図２】同上の受信部の断面図である。
【図３】従来例の便器装置を有する便器が設置されたトイレルームの断面図である。
【発明を実施するための形態】
【００１４】
以下、本発明を添付図面に示す実施形態に基いて説明する。
【００１５】
図１に示すように、便器装置は、無線信号の受信部２を備えた便器装置本体１と、無線信号の発信部を備えた遠隔操作部３と、を備え、トイレルーム４にて使用されるものである。
【００１６】
トイレルーム４には、便器５が設置される。以下の説明では、便宜上、前後左右は、使用者が便器５に所定の向きで着座した状態における前後左右をいうものとする。図中の矢印Ｆは前方を示し、矢印Ｂは後方を示す。本実施形態では、トイレルーム４の左右の幅は約９０ｃｍ、前後の長さが約１５０ｃｍであるが、幅や長さは特に限定されない。また本実施形態では、便器５は、トイレルーム４の後部に配置され、トイレルーム４の前部は使用者のスペースとして利用される。
【００１７】
図１に示すように、便器５のボウル部５１よりも後側の上面に、便器装置本体１が取り付けられるものである。さらに、便器装置本体１の前部に、便座（不図示）および便蓋１１の後部が回動自在に連結されており、便器装置が便座および便蓋１１を備えている。これにより、便座および便蓋１１は、それぞれ、ボウル部５１の後側より起立した状態と、ボウル部５１のリム上に載置されて寝かされた状態と、が選択自在となるものである。なお本発明において、便座は任意の構成である。
【００１８】
本実施形態では、便器装置は局部洗浄装置である。局部洗浄装置は、局部洗浄装置本体（便器装置本体１）と、遠隔操作部３とを備えている。局部洗浄装置本体は、図示しないが、局部洗浄ノズルを備え、局部洗浄ノズルより水や温水を人体の局部に向けて吐出可能とするものである。このような局部洗浄装置については、従来より様々なものが公知で、これらが適宜利用可能であり、詳細な説明は省略する。また、便器装置は、本実施形態では局部洗浄装置であるが、特に局部洗浄装置に限定されず、便器装置本体１が便器洗浄水の流水開始／停止のみを行うもの等でもよい。
【００１９】
遠隔操作部３は、図１に示すように、トイレルーム４の側壁４１に設置され、使用者が便座に着座した状態および、便器５の前側に立った状態で操作可能となるものである。遠隔操作部３は、赤外線等の無線信号の発信部を備えるものである。発信部の発信方向は、所定の方向（中心方向３１）を中心に所定の範囲３２を有している。そして、その中心方向３１が上方又は上斜め後方（但し、左右方向成分は任意）を向くように設定される。なお、本実施形態では、中心方向３１に発信される信号が最も強く（単位面積当たりのエネルギーにおいて）、中心方向３１から離れる程、発信される信号は弱くなるが、特にこのようになっていなくてもよい。
【００２０】
また、便器装置本体１は、遠隔操作部３から発信される無線信号の受信部２を備えるものである。受信部２の受信方向は所定の方向（中心方向２２）を中心に所定の範囲（後述する）を有している。そして、その中心方向２２が上方又は上斜め前方（但し、左右方向成分は任意）を向くように設定されるもので、本実施形態では、便器装置本体１の上面部の便座および便蓋１１が設けられた部分よりも後側に、受信部２が設けられる。そして、発信部から発信された無線信号は、便座および便蓋１１が、便器５上に寝かされた状態でも起立した状態でも、トイレルーム４の天井４２に反射して、受信部２で受信可能となっている。なお、本実施形態では、中心方向２２に受信される信号が最も強く（単位面積当たりのエネルギーにおいて）、中心方向２２から離れる程、受信される信号は弱くなるが、特にこのようになっていなくてもよい。
【００２１】
本発明では、受信部２における受信感度を向上させるため、屈折手段６が設けられるもので、以下に説明する。
【００２２】
まず、図３に基いて従来例について説明する。発信部から所定の範囲３２を有して発信された無線信号は、天井４２で反射され、範囲３３を有して受信部２に向かって進行する。受信部２では、所定の範囲２３の全域で受信した場合に、受信能力を最大限に活用すことができる。図３に示す従来例の場合には、受信部２では、受信可能な所定の範囲２３のうち、範囲３３の信号を受信している。すなわち、受信可能な所定の範囲２３の角度のうち、範囲３３の角度で受信しており、受信可能な所定の範囲２３の角度に対する、実際に受信する範囲３３の角度の割合が、受信能力に対して実際に活用する受信量となる。
【００２３】
なお、上記説明は、左右の角度範囲を考慮しない場合のものであり、左右の角度範囲を考慮すると、所定の範囲は、立体角で表される。そして本実施形態においては、左右の角度範囲は従来例および本発明において顕著な差はないため、立体角ではなく二次元の角度で説明する。
【００２４】
これに対し、本実施形態では、図２に示すように、無線信号を屈折させることで受信方向を狭める屈折手段６が設けられる。本実施形態では、便器装置本体１のケーシング１０に透光部が形成され、この透光部に、前後方向の中央側程厚いレンズ（シリンドリカルレンズ）からなる屈折手段６が設けられている。受信部２は、基板２１に感知部２０が設けられて形成されている。図中の符号２４、２５は、屈折手段６が設けられない場合の受信可能な所定の範囲の前側の境界、後側の境界を示している。
【００２５】
そして、前側の境界２４、後側の境界２５は、屈折手段６により屈折され、それぞれ図中の符号６１、６２で表される。すなわち、図１に示すように、前側の境界２４は、屈折手段６により、起立した便蓋１１よりも後側に位置するようになる。なお、図１においては、前側の境界２４が便蓋１１の上端部に接している。また、後側の境界２４は、屈折手段６により、天井４２の後端または後端よりも前側に位置するようになる。なお、図１においては、後側の境界２４が天井４２の後端に接している。
【００２６】
受信部２では、受信可能な所定の範囲２３が、屈折後の前側の境界６１、後側の境界６２の間の範囲となる。このため、受信可能な所定の範囲２３の角度に対する、実際に受信する範囲３３の角度の割合が、図３に示す従来例と比べて大きくなり、受信能力に対して実際に活用する受信量が向上するものである。
【００２７】
これにより、受信効率が向上し、特に発信部の発信出力を増大させることなく、確実な受信がし易くなるものである。
【００２８】
また、屈折手段６として、シリンドリカルレンズの他、一般的な凸レンズや、フレネルレンズが用いられてもよい。また、便器装置は、ボウル等と一体に形成されたものでもよい。
【符号の説明】
【００２９】
１    便器装置本体
１０  ケーシング
１１  便蓋
２    受信部
２０  感知部
２１  基板
２２  中心方向
２３  所定の範囲
２４  前側の境界
２５  後側の境界
３    遠隔操作部
３１  中心方向
３２  所定の範囲
３３  範囲
４    トイレルーム
４１  側壁
４２  天井
５    便器
５１  ボウル部
６    屈折手段
６１  前側の境界（屈折後）
６２  後側の境界（屈折後）
Ｂ    後方
Ｆ    前方
【図１】
2014173393.tif 000003
【図２】
2014173393.tif 000004
【図３】
2014173393.tif 000005